(57)【要約】【課題】０系、１系いずれの系が現用系であっても不要な切替を発生することなく、プロテクション制御部交換時の活線抜去、挿入を行う。【解決手段】プロテクション制御部１６が、０系波長変換部２および１系波長変換部３へ０系制御信号１７ａ，１系制御信号１８ａによって現用系／予備系切替コマンドを送出するとともに、０系波長変換部２および１系波長変換部３からの現用系／予備系切替コマンド情報と切替要因発生通知とに応じてプロテクション切替を決定し、０系波長変換部２および１系波長変換部３が、切替要因発生通知とともに、プロテクション制御部１６から受けた現用系／予備系切替コマンドを現用系／予備系切替コマンド情報として０系状態信号１７ｂ，１系状態信号１８ｂによってプロテクション制御部１６へ送り返し続ける。【選択図】　　　　図１
2004032306.tif 000002
【特許請求の範囲】
【請求項１】
各波長光を０系波長多重光に光合波して０系伝送路へ送出するとともに、上記０系伝送路を介して伝送された０系波長多重光を上記各波長光に光分波する０系伝送手段と、上記各波長光を１系波長多重光に光合波して１系伝送路へ送出するとともに、上記１系伝送路を介して伝送された１系波長多重光を上記各波長光に光分波する１系伝送手段と、上記０系伝送手段および上記１系伝送手段からの切替要因発生通知の有無に応じて、上記０系伝送手段および上記１系伝送手段の現用系／予備系のプロテクション切替を行うプロテクション制御手段とを備えた波長多重伝送装置において、
上記プロテクション制御手段は、上記０系伝送手段および上記１系伝送手段へ現用系／予備系切替コマンドを送出するとともに、上記０系伝送手段および上記１系伝送手段からの現用系／予備系切替コマンド情報と上記切替要因発生通知とに応じて上記プロテクション切替を決定し、
上記０系伝送手段および上記１系伝送手段は、上記切替要因発生通知とともに、上記プロテクション制御手段から受けた上記現用系／予備系切替コマンドを現用系／予備系切替コマンド情報として上記プロテクション制御手段へ送り返し続けることを特徴とする波長多重伝送装置。
【請求項２】
プロテクション制御手段は、現用系／予備系切替コマンドにＣＲＣコードを付加して、０系伝送手段および１系伝送手段へ送出するとともに、
上記０系伝送手段および上記１系伝送手段は、切替要因発生通知、現用系／予備系切替コマンド情報および上記ＣＲＣコードを上記プロテクション制御手段へ送り返すことを特徴とする請求項１記載の波長多重伝送装置。
【請求項３】
０系伝送手段および１系伝送手段は、２つ以上の切替要因発生通知と、現用系／予備系切替コマンド情報およびＣＲＣコードとをプロテクション制御手段へ送り返すことを特徴とする請求項２記載の波長多重伝送装置。
【発明の詳細な説明】
【０００１】
【発明の属する技術分野】
この発明は、現用系、予備系のプロテクション切替制御を行う波長多重伝送装置に関するものである。
【０００２】
【従来の技術】
図４は従来の波長多重伝送装置の構成を示すブロック図である。
図４において、１０１は０系および１系の冗長化された伝送路に接続された波長多重伝送装置、１０２は０系波長変換部１〜ｎ，１０３は１系波長変換部１〜ｎ，１０４は０系波長光を合波する０系光合波部、１０５は０系多重光を分波する０系光分波部、１０６は１系波長光を合成する１系光合波部、１０７は１系多重光を分波する１系光分波部、１０８は０系多重光を光増幅し０系伝送路１１２へ出力する０系光増幅部、１０９は０系伝送路１１３から入力された多重光を光増幅し０系光分波部１０５へ出力する０系光増幅部、１１０は１系多重光を増幅し１系伝送路１１４へ出力する１系光増幅部、１１１は１系伝送路１１５から入力された多重光を光増幅し１系光分波部１０７へ出力する１系光増幅部である。
【０００３】
また、図４において、１１２は波長多重伝送装置１０１から他の波長多重伝送装置への０系伝送路、１１３は他の波長多重伝送装置から波長多重伝送装置１０１への０系伝送路、１１４は波長多重伝送装置１０１から他の波長多重伝送装置への１系伝送路、１１５は他の波長多重伝送装置から波長多重伝送装置１０１への１系伝送路である。
【０００４】
さらに、図４において、１１６は冗長している波長変換部のプロテクション切替を行うプロテクション制御部、１２４ａはプロテクション制御部１１６から０系波長変換部１０２へ現用系／予備系切替コマンドを送る０系制御信号、１２４ｂは０系波長変換部１０２からプロテクション制御部１１６への切替要因発生通知を行う０系状態信号、１２５ａはプロテクション制御部１１６から１系波長変換部１０３へ現用系／予備系切替コマンドを送る１系制御信号、１２５ｂは１系波長変換部１０３からプロテクション制御部１１６への切替要因発生通知を行う１系状態信号、１１９は外部装置からの光信号を０系波長変換部１０２および１系波長変換部１０３へ分配し、かつ０系波長変換部１０２および１系波長変換部１０３からの光信号を合成する光カプラ部である。
【０００５】
次に動作について説明する。
外部装置からの光信号は、光カプラ部１１９で分配され、０系波長変換部１０２および１系波長変換部１０３へ入力される。０系波長変換部１０２により変換されたｎ個の波長光は、０系光合波部１０４で合波された後、０系光増幅部１０８で増幅され、０系伝送路１１２を介して、波長多重伝送装置１０１から他の波長多重伝送装置へ伝送される。また、０系伝送路１１３を介して他の波長多重伝送装置から波長多重伝送装置１０１へ伝送されてきた波長多重光は、０系光増幅部１０９で増幅され、０系光分波部１０５でｎ個の波長光へ分波される。各波長光は、０系波長変換部１０２で波長変換され、光カプラ部１１９を介して外部装置へ出力される。
【０００６】
同様に、１系波長変換部１０３により変換されたｎ個の波長光は、１系光合波部１０６で合波された後、１系光増幅部１１０で増幅され、１系伝送路１１４を介して、波長多重伝送装置１０１から他の波長多重伝送装置へ伝送される。また同様に、１系伝送路１１５を介して他の波長多重伝送装置から波長多重伝送装置１０１へ伝送されてきた波長多重光は、１系光増幅部１１１で増幅され、１系光分波部１０７でｎ個の波長光へ分波される。各波長光は、１系波長変換部１０３で波長変換され、光カプラ部１１９を介して外部装置へ出力される。
【０００７】
０系波長変換部１０２および１系波長変換部１０３から光カプラ部１１９への光信号は同じ信号であり、いずれかの信号のみ出力される。プロテクション制御部１１６は、０系波長変換部１０２および１系波長変換部１０３からの０系状態信号１２４ｂ，１系状態信号１２５ｂにより、伝送路障害、故障等の切替発生要因の有無を監視し、０系制御信号１２４ａ，１系制御信号１２５ａによって、切替要因が有る系へ予備系切替コマンドを、切替要因が無い系へ現用系切替コマンドを０系波長変換部１０２および１系波長変換部１０３へ送出する。予備系切替コマンドを受信した波長変換部は、光カプラ部１１９への光出力のシャットダウンを実行する。逆に、現用系切替コマンドを受信した波長変換部は、光カプラ部１１９への光出力シャットダウンを解除する。
【０００８】
【発明が解決しようとする課題】
従来の波長多重伝送装置は以上のように構成されているので、装置立ち上がり時に両系の切替要因発生通知が無い場合には例えば０系が現用系となり、プロテクション制御部の交換等で一度抜いてから活線挿入したときに０系が現用系である場合には問題無いが、１系が現用系であるときには０系への不要な切替が発生してしまうという課題があった。
【０００９】
例えば図４において、０系が予備系、１系が現用系で運用、いずれも障害なしの場合を考える。交換用のプロテクション制御部１１６の初期設定が０系⇒現用系、１系⇒予備系となっていると、古いプロテクション制御部１１６を抜去して新しいプロテクション制御部１１６を挿入した際に、０系が予備系から現用系に、１系が現用系から予備系に切り替わって、データの瞬断が発生してしまうことになる。逆に、０系が現用系、１系が予備系で運用、いずれも障害なしの場合であっても、交換用のプロテクション制御部１１６の初期設定が０系⇒予備系、１系⇒現用系となっていれば、同様の結果に陥る。
【００１０】
この発明は上記のような課題を解決するためになされたもので、プロテクション制御部の交換等で抜去後に活線挿入したときに、０系、１系いずれが現用系であっても不要な切替の発生を回避する波長多重伝送装置を得ることを目的とする。
【００１１】
【課題を解決するための手段】
この発明に係る波長多重伝送装置は、プロテクション制御手段が、０系伝送手段および１系伝送手段へ現用系／予備系切替コマンドを送出するとともに、０系伝送手段および１系伝送手段からの現用系／予備系切替コマンド情報と切替要因発生通知とに応じてプロテクション切替を決定し、０系伝送手段および１系伝送手段が、切替要因発生通知とともに、プロテクション制御手段から受けた現用系／予備系切替コマンドを現用系／予備系切替コマンド情報としてプロテクション制御手段へ送り返し続けるようにしたものである。
【００１２】
この発明に係る波長多重伝送装置は、プロテクション制御手段が、現用系／予備系切替コマンドにＣＲＣコードを付加して、０系伝送手段および１系伝送手段へ送出するとともに、０系伝送手段および１系伝送手段が、切替要因発生通知、現用系／予備系切替コマンド情報およびＣＲＣコードをプロテクション制御手段へ送り返すようにしたものである。
【００１３】
この発明に係る波長多重伝送装置は、０系伝送手段および１系伝送手段が、２つ以上の切替要因発生通知と、現用系／予備系切替コマンド情報およびＣＲＣコードとをプロテクション制御手段へ送り返すようにしたものである。
【００１４】
【発明の実施の形態】
以下、この発明の実施の一形態を説明する。
実施の形態１．
図１はこの発明の実施の形態１による波長多重伝送装置の構成を示すブロック図である。
図１において、１は０系および１系の冗長化された伝送路に接続された波長多重伝送装置、２は０系波長変換部１〜ｎ（０系伝送手段）、３は１系波長変換部１〜ｎ（１系伝送手段）、４は０系波長光を合波する０系光合波部（０系伝送手段）、５は０系多重光を分波する０系光分波部（０系伝送手段）、６は１系波長光を合成する１系光合波部（１系伝送手段）、７は１系多重光を分波する１系光分波部（１系伝送手段）、８は０系多重光を光増幅し０系伝送路１２へ出力する０系光増幅部（０系伝送手段）、９は０系伝送路１３から入力された多重光を光増幅し０系光分波部５へ出力する０系光増幅部（０系伝送手段）、１０は１系多重光を増幅し１系伝送路１４へ出力する１系光増幅部（１系伝送手段）、１１は１系伝送路１５から入力された多重光を光増幅し１系光分波部７へ出力する１系光増幅部（１系伝送手段）である。
【００１５】
また、図１において、１２は波長多重伝送装置１から他の波長多重伝送装置への０系伝送路、１３は他の波長多重伝送装置から波長多重伝送装置１への０系伝送路、１４は波長多重伝送装置１から他の波長多重伝送装置への１系伝送路、１５は他の波長多重伝送装置から波長多重伝送装置１への１系伝送路である。
【００１６】
さらに、図１において、１６は冗長している波長変換部のプロテクション切替を行うプロテクション制御部（プロテクション制御手段）、１７ａはプロテクション制御部１６から０系波長変換部２へ現用系／予備系切替コマンドを送る０系制御信号、１７ｂは０系波長変換部２からプロテクション制御部１６への切替要因発生通知および現用系／予備系切替コマンド情報を送る０系状態信号、１８ａはプロテクション制御部１６から１系波長変換部３へ現用系／予備系切替コマンドを送る１系制御信号、１８ｂは１系波長変換部３からプロテクション制御部１６への切替要因発生通知および現用系／予備系切替コマンド情報を送る１系状態信号である。そして、１９は外部装置からの光信号を０系波長変換部２および１系波長変換部３へ分配し、かつ０系波長変換部２および１系波長変換部３からの光信号を合成する光カプラ部である。
【００１７】
プロテクション制御の動作について次に説明する。
プロテクション制御部１６は、０系波長変換部２および１系波長変換部３からの切替要因発生通知とともに、０系波長変換部２および１系波長変換部３がプロテクション制御部１６から現用系／予備系切替コマンドを受信して送り返した現用系／予備系切替コマンド情報（各系における現用系／予備系の運用系を表す情報）を、０系状態信号１７ｂ，１系状態信号１８ｂを介して監視している。０系、１系いずれかの系で伝送路障害、故障等が発生すると、０系波長変換部２または１系波長変換部３は、切替要因発生通知をプロテクション制御部１６へ送出する。プロテクション制御部１６は、切替要因発生通知を送出した系に予備系切替コマンドを、切替要因発生通知の無い系に現用系切替コマンドを、０系制御信号１７ａ，１系制御信号１８ａを介して出力する。０系波長変換部２および１系波長変換部３は、受信した現用系／予備系切替コマンドを現用系／予備系切替コマンド情報として０系状態信号１７ｂ，１系状態信号１８ｂを介してプロテクション制御部１６へ送り返す。
【００１８】
例えば０系が予備系、１系が現用系で運用、いずれも障害なしの場合を考える。交換前のプロテクション制御部１６は、０系の波長変換部２へ予備系切替コマンドを、１系の波長変換部３へ現用系切替コマンドを送出している。両系とも障害無しなので、両系の各波長変換部２，３は、切替要因発生通知無しをプロテクション制御部１６へ送信している。さらに、この切替要因発生通知無しに加えて、０系波長変換部２は、プロテクション制御部１６からの予備系切替コマンドを予備系切替コマンド情報としてプロテクション制御部１６へ送り返し、１系波長変換部３は、プロテクション制御部１６からの現用系切替コマンドを現用系切替コマンド情報としてプロテクション制御部１６へ送り返している。
【００１９】
０系波長変換部２，１系波長変換部３は、プロテクション制御部１６を交換する際にも、この交換時に受信している現用系／予備系切替コマンド情報を保持して送り返し続ける。従来と異なり、交換用のプロテクション制御部１６の初期設定は、両系の波長変換部から送り返し続けられている現用系／予備系切替コマンド情報によって決定されるようになっている。したがって、抜去・挿入後の新しいプロテクション制御部１６は、０系波長変換部２からの予備系切替コマンド情報を受けて０系をそのまま予備系に設定し、同様に、１系波長変換部３からの現用系切替コマンド情報を受けて１系を現用系にそのまま設定する。したがって、交換前後で現用・予備両系の不要な切替が発生せず、データの瞬断を回避できる。
【００２０】
以上のように、この実施の形態１によれば、プロテクション制御部１６が、０系波長変換部２および１系波長変換部３へ０系制御信号１７ａ，１系制御信号１８ａによって現用系／予備系切替コマンドを送出するとともに、０系波長変換部２および１系波長変換部３からの現用系／予備系切替コマンド情報と切替要因発生通知とに応じてプロテクション切替を決定し、０系波長変換部２および１系波長変換部３が、切替要因発生通知とともに、プロテクション制御部１６から受けた現用系／予備系切替コマンドを現用系／予備系切替コマンド情報として０系状態信号１７ｂ，１系状態信号１８ｂによってプロテクション制御部１６へ送り返し続けるようにしたので、０系、１系いずれの系が現用系であっても不要な切替を発生することなく、プロテクション制御部交換時の活線抜去、挿入を行うことができるという効果が得られる。
【００２１】
実施の形態２．
実施の形態１では、０系制御信号１７ａ，１系制御信号１８ａに現用系／予備系切替コマンドを、０系状態信号１７ｂ，１系状態信号１８ｂに切替要因発生通知および現用系／予備系切替コマンド情報を送出したが、これらにＣＲＣ（“Ｃｙｃｌｉｃ　Ｒｅｄｕｎｄａｎｃｙ　Ｃｈｅｃｋ”，巡回冗長検査）コードを付加しても良く、プロテクション制御部および波長変換部の活線での抜去、挿入時のデータ誤りによる不要な切替を回避するためのデータの保護回路を無くし、遅延時間を削減することができる。
【００２２】
図２はこの発明の実施の形態２による波長多重伝送装置の構成を示すブロック図であり、０系波長変換部２，１系波長変換部３，プロテクション制御部１６だけを特に図示している。図２（ａ）において、２０ａは０系制御信号、２０ｂは０系状態信号、２１ａは１系制御信号、２１ｂは１系状態信号である。
【００２３】
図２（ｂ）に示すように、０系制御信号２０ａ，１系制御信号２１ａには、現用系／予備系切替コマンドおよびＣＲＣコードが、０系状態信号２０ｂ，１系状態信号２１ｂには、切替要因発生通知、現用系／予備系切替コマンド情報およびＣＲＣコードが伝送されており、上述の遅延時間の削減が可能になっている。なお、図２（ｂ）中のＢＬＡＮＫは必ずしも必要ではない。
【００２４】
以上のように、この実施の形態２によれば、プロテクション制御部１６が、現用系／予備系切替コマンドにＣＲＣコードを付加して、０系制御信号２０ａおよび１系制御信号２１ａによって０系波長変換部２および１系波長変換部３へ送出するとともに、０系波長変換部２および１系波長変換部３が、切替要因発生通知、現用系／予備系切替コマンド情報およびＣＲＣコードを０系状態信号２０ｂおよび１系状態信号２１ｂによってプロテクション制御部１６へ送り返すようにしたので、プロテクション制御部１６の抜去、挿入時のデータ誤りを回避するための保護回路を無くし、切替遅延時間を削減できるという効果が得られる。
【００２５】
実施の形態３．
実施の形態２では、０系状態信号２０ｂ，１系状態信号２１ｂに切替要因発生通知、現用系／予備系切替コマンド情報、ＣＲＣコードを送出したが、切替要因発生通知を優先度に応じて２種類以上のコードを送出しても良く、両系に障害が発生しているような場合に、より細かくプロテクション切替制御を行うことができる。
【００２６】
図３はこの発明の実施の形態３による波長多重伝送装置の構成を示すブロック図であり、０系波長変換部２，１系波長変換部３，プロテクション制御部１６だけを特に図示している。図３（ａ）において、２２ａは０系制御信号、２２ｂは０系状態信号、２３ａは１系制御信号、２３ｂは１系状態信号である。
【００２７】
図３（ｂ）に示すように、０系制御信号２２ａ，１系制御信号２３ａには、現用系／予備系切替コマンドおよびＣＲＣコードが、０系状態信号２２ｂ，１系状態信号２３ｂには、切替要因発生通知１，切替要因発生通知２，現用系／予備系切替コマンド情報およびＣＲＣコードが伝送される。例えば、０系波長変換部２および１系波長変換部３には複数チャネルが多重されており、０系波長変換部２には１つのチャネルの障害が発生した場合には、１系波長変換部３を現用系とするが、その後１系波長変換部３に全チャネルの障害が発生した場合には、０系波長変換部２に切り戻す等が可能である。なお、図３（ｂ）中のＢＬＡＮＫは必ずしも必要ではない。
【００２８】
以上のように、この実施の形態３によれば、０系波長変換部２および１系波長変換部３が、２つ以上の切替要因発生通知と、現用系／予備系切替コマンド情報およびＣＲＣコードとを０系状態信号２２ｂおよび１系状態信号２３ｂによってプロテクション制御部１６へ送り返すようにしたので、波長変換部が複数チャネルを多重している場合に、例えば１チャネルの障害と全チャネルの障害とで優先度をつけたプロテクション切替が制御できるという効果が得られる。
【００２９】
【発明の効果】
以上のように、この発明によれば、プロテクション制御手段が、０系伝送手段および１系伝送手段へ現用系／予備系切替コマンドを送出するとともに、０系伝送手段および１系伝送手段からの現用系／予備系切替コマンド情報と切替要因発生通知とに応じてプロテクション切替を決定し、０系伝送手段および１系伝送手段が、切替要因発生通知とともに、プロテクション制御手段から受けた現用系／予備系切替コマンドを現用系／予備系切替コマンド情報としてプロテクション制御手段へ送り返し続けるようにしたので、０系、１系いずれの系が現用系であっても不要な切替を発生することなく、プロテクション制御部交換時の活線抜去、挿入を行うことができるという効果が得られる。
【図面の簡単な説明】
【図１】この発明の実施の形態１による波長多重伝送装置の構成を示すブロック図である。
【図２】この発明の実施の形態２による波長多重伝送装置の構成を示すブロック図である。
【図３】この発明の実施の形態３による波長多重伝送装置の構成を示すブロック図である。
【図４】従来の波長多重伝送装置の構成を示すブロック図である。
【符号の説明】
１　波長多重伝送装置、２　０系波長変換部１〜ｎ（０系伝送手段）、３　１系波長変換部１〜ｎ（１系伝送手段）、４　０系光合波部（０系伝送手段）、５０系光分波部（０系伝送手段）、６　１系光合波部（１系伝送手段）、７　１系光分波部（１系伝送手段）、８　０系光増幅部（０系伝送手段）、９　０系光増幅部（０系伝送手段）、１０　１系光増幅部（１系伝送手段）、１１　１系光増幅部（１系伝送手段）、１２　０系伝送路、１３　０系伝送路、１４　１系伝送路、１５　１系伝送路、１６　プロテクション制御部（プロテクション制御手段）、１７ａ　０系制御信号、１７ｂ　０系状態信号、１８ａ　１系制御信号、１８ｂ　１系状態信号、１９　光カプラ部、２０ａ　０系制御信号、２０ｂ　０系状態信号、２１ａ　１系制御信号、２１ｂ　１系状態信号、２２ａ　０系制御信号、２２ｂ　０系状態信号、２３ａ　１系制御信号、２３ｂ　１系状態信号。
【図１】
2004032306.tif 000003
【図２】
2004032306.tif 000004
【図３】
2004032306.tif 000005
【図４】
2004032306.tif 000006